(57)【要約】【課題】コンテンツに関する有用な情報を提供することが可能なコンテンツ管理装置、端末装置及び情報提供方法を提供することにある。【解決手段】実施形態によれば、ユーザによって利用されるコンテンツを閲覧可能な端末装置と通信可能に接続されるコンテンツ管理装置が提供される。実施形態に係るコンテンツ管理装置は、受信手段と、格納手段と、生成手段と、送信手段とを具備する。受信手段は、端末装置においてユーザによって閲覧されたコンテンツ中の特定の位置に関する複数のしおり情報を、当該端末装置から受信する。格納手段は、受信された複数のしおり情報を格納する。生成手段は、格納手段に格納された複数のしおり情報を含むしおりリスト情報を生成する。送信手段は、生成されたしおりリスト情報を送信する。【選択図】図２
2015125545.tif 000002
【特許請求の範囲】
【請求項１】
ユーザによって利用されるコンテンツを閲覧可能な端末装置と通信可能に接続されるコンテンツ管理装置において、
前記端末装置において前記ユーザによって閲覧されたコンテンツ中の特定の位置に関する複数のしおり情報を、当該端末装置から受信する受信手段と、
前記受信された複数のしおり情報を格納する格納手段と、
前記格納手段に格納された複数のしおり情報を含むしおりリスト情報を生成する生成手段と、
前記生成されたしおりリスト情報を送信する送信手段と
を具備するコンテンツ管理装置。
【請求項２】
前記受信手段は、異なるユーザによって利用される複数の端末装置の各々から前記複数のしおり情報を受信する請求項１記載のコンテンツ管理装置。
【請求項３】
前記コンテンツ中の特定の位置に関するしおり情報は、当該コンテンツを閲覧したユーザを識別するためのユーザ識別情報、当該コンテンツを識別するためのコンテンツ識別情報、当該コンテンツ中の特定の位置を示す位置情報及び当該コンテンツ中の特定の位置に対して付加された付加情報を含み、
前記生成手段は、前記格納手段に格納された複数のしおり情報のうち、当該しおり情報に含まれるユーザ識別情報、コンテンツ識別情報、位置情報及び付加情報のうちの少なくとも１つに基づいて集計された複数のしおり情報を含むしおりリスト情報を生成する
請求項２記載のコンテンツ管理装置。
【請求項４】
前記生成手段は、前記複数のしおり情報を解析することによって、当該複数のしおり情報に共通の付加情報を生成し、当該生成された当該複数のしおり情報に共通の付加情報を更に含むしおりリスト情報を生成する
請求項３記載のコンテンツ管理装置。
【請求項５】
コンテンツを管理するコンテンツ管理装置と通信可能に接続され、ユーザによって利用される当該コンテンツを閲覧可能な端末装置において、
前記ユーザによって閲覧されたコンテンツ中の特定の位置に関するしおり情報を生成する生成手段と、
前記生成されたしおり情報を前記コンテンツ管理装置に送信する送信手段と、
前記コンテンツ管理装置において受信された複数のしおり情報を含むしおりリスト情報を当該コンテンツ管理装置から受信する受信手段と、
前記受信されたしおりリスト情報を表示する表示手段と
を具備する端末装置。
【請求項６】
前記受信手段によって受信されたしおりリスト情報は、異なるユーザによって利用される複数の端末装置の各々において生成された複数のしおり情報を含む請求項５記載の端末装置。
【請求項７】
前記コンテンツ中の特定の位置に関するしおり情報は、当該コンテンツを閲覧したユーザを識別するためのユーザ識別情報、当該コンテンツを識別するためのコンテンツ識別情報、当該コンテンツ中の特定の位置を示す位置情報及び当該コンテンツ中の特定の位置に対して付加された付加情報を含み、
前記受信手段によって受信されたしおりリスト情報は、前記コンテンツ管理装置において受信された複数のしおり情報のうち、当該しおり情報に含まれるユーザ識別情報、コンテンツ識別情報、位置情報及び付加情報のうちの少なくとも１つに基づいて集計された複数のしおり情報を含む
請求項６記載の端末装置。
【請求項８】
前記受信手段によって受信されたしおりリスト情報は、当該しおりリスト情報に含まれる複数のしおり情報を解析することによって生成された当該複数のしおり情報に共通の付加情報を更に含む
請求項７記載の端末装置。
【請求項９】
端末装置においてユーザによって閲覧されたコンテンツ中の特定の位置に関する複数のしおり情報を、当該端末装置から受信するステップと、
前記受信された複数のしおり情報を格納手段に格納するステップと、
前記格納手段に格納された複数のしおり情報を含むしおりリスト情報を生成するステップと、
前記生成されたしおりリスト情報を送信するステップと
を具備する情報提供方法。
【請求項１０】
前記受信するステップにおいて、異なるユーザによって利用される複数の端末装置の各々から前記複数のしおり情報を受信する請求項９記載の情報提供方法。
【請求項１１】
前記コンテンツ中の特定の位置に関するしおり情報は、当該コンテンツを閲覧したユーザを識別するためのユーザ識別情報、当該コンテンツを識別するためのコンテンツ識別情報、当該コンテンツ中の特定の位置を示す位置情報及び当該コンテンツ中の特定の位置に対して付加された付加情報を含み、
前記生成するステップにおいて、前記格納手段に格納された複数のしおり情報のうち、当該しおり情報に含まれるユーザ識別情報、コンテンツ識別情報、位置情報及び付加情報のうちの少なくとも１つに基づいて集計された複数のしおり情報を含むしおりリスト情報を生成する
請求項１０記載の情報提供方法。
【請求項１２】
前記生成するステップにおいて、前記複数のしおり情報を解析することによって、当該複数のしおり情報に共通の付加情報を生成し、当該生成された当該複数のしおり情報に共通の付加情報を更に含むしおりリスト情報を生成する請求項１１記載の情報提供方法。
【請求項１３】
ユーザによって閲覧されたコンテンツ中の特定の位置に関するしおり情報を生成するステップと、
前記生成されたしおり情報をコンテンツ管理装置に送信するステップと、
前記コンテンツ管理装置において受信された複数のしおり情報を含むしおりリスト情報を当該コンテンツ管理装置から受信するステップと、
前記受信されたしおりリスト情報を表示するステップと
を具備する情報提供方法。
【請求項１４】
前記受信されたしおりリスト情報は、異なるユーザによって利用される複数の端末装置の各々において生成された複数のしおり情報を含む請求項１３記載の情報提供方法。
【請求項１５】
前記コンテンツ中の特定の位置に関するしおり情報は、当該コンテンツを閲覧したユーザを識別するためのユーザ識別情報、当該コンテンツを識別するためのコンテンツ識別情報、当該コンテンツ中の特定の位置を示す位置情報及び当該コンテンツ中の特定の位置に対して付加された付加情報を含み、
前記受信されたしおりリスト情報は、前記コンテンツ管理装置において受信された複数のしおり情報のうち、当該しおり情報に含まれるユーザ識別情報、コンテンツ識別情報、位置情報及び付加情報のうちの少なくとも１つに基づいて集計された複数のしおり情報を含む
請求項１４記載の情報提供方法。
【請求項１６】
前記受信されたしおりリスト情報は、当該しおりリスト情報に含まれる複数のしおり情報を解析することによって生成された当該複数のしおり情報に共通の付加情報を更に含む請求項１５記載の情報提供方法。
【発明の詳細な説明】
【技術分野】
【０００１】
本発明の実施形態は、コンテンツ管理装置、端末装置及び情報提供方法に関する。
【背景技術】
【０００２】
一般的に、各種端末装置（例えば、タブレットコンピュータ及びスマートフォン等）を用いて、例えば電子化された書籍（電子書籍）等のコンテンツをインターネット経由でダウンロード（購入）して閲覧することが行われている。
【０００３】
ところで、電子書籍のようなコンテンツの場合、例えばコンテンツ中の特定の位置を後で参照するために、当該位置を特定するためのしおり（情報）を生成及び保存しておくことが知られている。
【０００４】
また、上記したしおり情報をクラウドサーバにアップロードしておくことで、当該しおり情報を異なる端末（デバイス）間で共有することができるシステムが知られている。このシステムによれば、異なる端末装置であっても、しおり情報に基づいてコンテンツ中の特定の位置を参照することが可能となる。
【先行技術文献】
【特許文献】
【０００５】
【特許文献１】国際公開第２０１１／１３８８３０号
【特許文献２】特開２００５−０３９６５７号公報
【発明の概要】
【発明が解決しようとする課題】
【０００６】
ところで、近年では上記したような端末装置を用いたコンテンツの購入及び閲覧等が一般的となっていることから、当該購入及び閲覧するコンテンツをユーザが選択する際等に当該コンテンツに関する有用な情報（当該コンテンツのメタデータ）を当該ユーザに対して提供できるような仕組みが望まれている。
【０００７】
上記したシステムにおいては、しおり情報を複数の端末間で共有することは可能であるが、このようなしおり情報を複数のユーザ間で共有することは行われていない。このような複数のユーザによって利用される各端末装置において生成されたしおり情報（コンテンツ中の特定の位置に関する情報）を複数のユーザ間で利用することによって、より有用な情報をユーザに対して提供することができる可能性がある。
【０００８】
また、例えば電子書籍等のコンテンツに対する複数のユーザからのレビューや評価等の当該コンテンツそのものに対する情報を提供（共有）することは知られているものの、このような情報のみではユーザにとって十分であるとはいえない。
【０００９】
そこで、本発明の目的は、コンテンツに関する有用な情報を提供することが可能なコンテンツ管理装置、端末装置及び情報提供方法を提供することにある。
【課題を解決するための手段】
【００１０】
実施形態によれば、ユーザによって利用されるコンテンツを閲覧可能な端末装置と通信可能に接続されるコンテンツ管理装置が提供される。実施形態に係るコンテンツ管理装置は、受信手段と、格納手段と、生成手段と、送信手段とを具備する。受信手段は、前記端末装置において前記ユーザによって閲覧されたコンテンツ中の特定の位置に関する複数のしおり情報を、当該端末装置から受信する。格納手段は、前記受信された複数のしおり情報を格納する。生成手段は、前記格納手段に格納された複数のしおり情報を含むしおりリスト情報を生成する。送信手段は、前記生成されたしおりリスト情報を送信する。
【図面の簡単な説明】
【００１１】
【図１】実施形態におけるコンテンツ管理システムのハードウェア構成を示すブロック図。
【図２】図１に示すコンテンツ管理システムの主として機能構成を示すブロック図。
【図３】図２に示すユーザ情報格納部１１に格納されているユーザ情報野データ構造の一例を示す図。
【図４】図２に示すコンテンツ格納部１２のデータ構造の一例を示す図。
【図５】図２に示すしおり情報格納部１３に格納されているしおり情報のデータ構造の一例を示す図。
【図６】しおりリスト生成処理の処理手順を示すシーケンスチャート。
【図７】しおり情報解析部１６によって生成されるしおりリスト情報のデータ構造の一例を示す図。
【図８】しおりリスト提供処理の処理手順を示すシーケンスチャート。
【発明を実施するための形態】
【００１２】
以下、図面を参照して、実施形態について説明する。
【００１３】
図１は、実施形態におけるコンテンツ管理システムのハードウェア構成を示すブロック図である。
【００１４】
図１に示すコンテンツ管理システムは、主として、コンテンツ管理装置１０と、複数のユーザ（異なるユーザ）によって利用される複数の端末装置（ユーザ端末）２０とを備える。なお、図１には便宜的に１つのユーザ端末２０のみが示されている。
【００１５】
コンテンツ管理装置１０及び複数のユーザ端末２０は、例えばインターネットのようなネットワーク３０を介して通信可能に接続される。
【００１６】
コンテンツ管理装置１０は、コンピュータ１０ａ及び当該コンピュータ１０ａと接続されているハードディスクドライブ（ＨＤＤ：Hard Disk Drive）のような外部記憶装置１０ｂとを備えている。この外部記憶装置１０ｂは、コンピュータ１０ａによって実行されるプログラム１０ｃを格納する。
【００１７】
また、コンテンツ管理装置１０は、例えば電子書籍等のコンテンツを管理する機能を有する。以下の説明では、コンテンツ管理装置１０において管理されるコンテンツが電子書籍であるものとして説明するが、当該コンテンツは動画及び音楽等であっても構わない。
【００１８】
なお、本実施形態におけるコンテンツ管理システムにおいて、コンテンツ管理装置１０は、例えばクラウドコンピューティングサービスを提供するクラウドサーバとして機能する。
【００１９】
端末装置２０の各々は、コンテンツ管理装置１０において管理されるコンテンツを閲覧可能な例えばタブレットコンピュータ、スマートフォン及びパーソナルコンピュータ（ＰＣ）等として実現され得る。
【００２０】
本実施形態におけるコンテンツ管理システムによれば、端末装置２０を利用するユーザは、当該端末装置２０を介してコンテンツ管理装置１０において管理されているコンテンツを購入することができるものとする。このようにコンテンツが購入された場合、端末装置２０を利用するユーザは、当該コンテンツをコンテンツ管理装置１０からダウンロードして、当該コンテンツを当該端末装置２０を用いて閲覧することができる。
【００２１】
図２は、図１に示すコンテンツ管理システム（コンテンツ管理装置１０及び端末装置２０）の主として機能構成を示すブロック図である。なお、図２においては１つの端末装置２０の構成についてのみが示されているが、他の端末装置２０の構成についても同様である。
【００２２】
図２に示すように、コンテンツ管理装置１０は、ユーザ情報格納部１１、コンテンツ格納部１２、しおり情報格納部１３、通信部１４、コンテンツ管理部１５、しおり情報解析部１６及びしおり情報管理部１７を含む。
【００２３】
本実施形態において、ユーザ情報格納部１１、コンテンツ格納部１２及びしおり情報格納部１３は、例えば外部記憶装置１０ｂに格納される。
【００２４】
また、本実施形態において、通信部１４、コンテンツ管理部１５、しおりデータ解析部１６及びしおりデータ管理部１７は、図１に示すコンピュータ１０ａが外部記憶装置１０ｂに格納されているプログラム１０ｃを実行することにより実現されるものとする。このプログラム１０ｃは、コンピュータ読み取り可能な記憶媒体に予め格納して頒布可能である。また、このプログラム１０ｃは、例えばネットワーク３０を介してコンテンツ管理装置１０にダウンロードされても構わない。
【００２５】
ユーザ情報格納部１１には、コンテンツ管理装置１０と通信可能に接続される複数の端末装置２０の各々を利用する各ユーザに関する情報（以下、ユーザ情報と表記）が格納される。ユーザ情報格納部１１に格納されているユーザ情報には、端末装置２０を利用するユーザが購入したコンテンツを示す購入履歴（情報）等が含まれる。
【００２６】
コンテンツ格納部１２には、上述したようにコンテンツ管理装置１０と通信可能に接続される複数の端末装置２０を利用するユーザが購入することができるコンテンツ（つまり、コンテンツ管理装置１０において管理されるコンテンツ）が格納される。
【００２７】
通信部１４は、複数の端末装置２０の各々と各種データを送受信するための機能部である。
【００２８】
コンテンツ管理部１５は、ユーザ情報格納部１１に格納されているユーザ情報及びコンテンツ格納部１２に格納されているコンテンツ（データ）を管理するための機能部である。コンテンツ管理部１５は、ユーザ情報格納部１１に格納されているユーザ情報に基づいて、例えば端末装置２０からの要求に応じたコンテンツを、通信部１４を介して当該端末装置２０に対して送信する。
【００２９】
しおり情報解析部１６は、後述するように端末装置２０において生成されたしおり情報を、通信部１４を介して端末装置２０の各々から受信する。しおり情報解析部１６によって受信されるしおり情報は、例えば端末装置２０におけるコンテンツ（例えば、電子書籍）の閲覧時のユーザの操作に応じて生成される当該コンテンツ中の特定の位置に関する情報である。
【００３０】
なお、しおり情報解析部１６は、異なるユーザによって利用される複数の端末装置２０の各々において生成されたしおり情報を受信する。
【００３１】
しおり情報解析部１６は、受信されたしおり情報をしおり情報格納部１３に格納する。すなわち、しおり情報格納部１３には、異なるユーザによって利用される複数のユーザ端末２０の各々において生成されたしおり情報が蓄積される。
【００３２】
また、しおり情報解析部１６は、受信された複数のしおり情報（つまり、しおり情報格納部１３に蓄積されている複数のしおり情報）を含むしおりリスト情報を生成する。しおり情報解析部１６によって生成されたしおりリスト情報は、しおり情報格納部１３に格納される。
【００３３】
しおり情報管理部１７は、しおり情報格納部１３に格納されているしおり情報及びしおりリスト情報を管理するための機能部である。しおり情報管理部１７は、例えば端末装置２０からの要求に応じて、例えばしおり情報格納部１３に格納されたしおりリスト情報を、通信部１４を介して当該端末装置２０に対して送信（提供）する。
【００３４】
なお、図２においては省略されているが、コンテンツ管理装置１０は、上記したようにユーザによるコンテンツの購入の際に当該コンテンツの購入に関する課金処理（決済処理）を実行する機能を有する。ここでは、コンテンツ管理装置１０において管理されるコンテンツがユーザによって購入される（つまり、課金処理が必要である）ものとして説明しているが、当該コンテンツ管理装置１０において管理されるコンテンツには、当該課金処理が必要でないコンテンツ（例えば、無料のコンテンツ等）が含まれていても構わない。
【００３５】
端末装置２０は、通信部２１、コンテンツ閲覧部２２、しおり情報生成部２３及びしおりリスト閲覧部２４を含む。なお、これらの各部２１〜２４は、端末装置２０において格納されているプログラムを当該端末装置２０のコンピュータが実行することにより実現されるものとする。
【００３６】
通信部２１は、コンテンツ管理装置１０と各種データを送受信するための機能部である。
【００３７】
コンテンツ閲覧部２２は、端末装置２０においてユーザによって指定されたコンテンツ（当該ユーザが購入したコンテンツ）を、通信部２１を介してコンテンツ管理装置１０から受信（ダウンロード）する。コンテンツ閲覧部２２は、受信されたコンテンツを表示する。このコンテンツ閲覧部２２により、端末装置２０を利用するユーザは、当該ユーザが購入したコンテンツを当該端末装置２０において閲覧することができる。
【００３８】
なお、コンテンツ閲覧部２２は、ユーザによって閲覧されるコンテンツが例えば電子書籍である場合には、当該電子書籍を閲覧するための各種機能（例えば、ページめくり機能や検索機能等）を有する。
【００３９】
しおり情報生成部２３は、端末装置２０において閲覧されるコンテンツ中の特定の位置に関するしおり情報を生成する。つまり、しおり情報生成部２３によって生成されたしおり情報によれば、コンテンツ中の特定の位置を特定することができる。なお、このコンテンツ中の特定の位置は、ユーザによって指定されるものとする。
【００４０】
しおり情報生成部２３によって生成されるしおり情報（コンテンツ中の特定の位置に関するしおり情報）には、例えば端末装置２０を利用するユーザを識別するためのユーザ識別情報（以下、ユーザＩＤと表記）、当該コンテンツを識別するためのコンテンツ識別情報（以下、コンテンツＩＤと表記）、当該コンテンツ中の特定の位置を示す位置情報及び当該コンテンツの中の特定の位置に対して付加された付加情報を含む。なお、しおり情報に含まれる付加情報には、後述するようにユーザの操作に応じて作成されたタイトル及びコメント等が含まれる。
【００４１】
しおり情報生成部２３によって生成されたしおり情報は、通信部２１を介してコンテンツ管理装置１０に対して送信される。
【００４２】
しおりリスト閲覧部２４は、コンテンツ管理装置１０において生成されたしおりリスト情報を、通信部２１を介してコンテンツ管理装置１０から受信する。しおりリスト閲覧部２４は、受信されたしおりリスト情報を表示する。このしおりリスト閲覧部２４により、しおりリスト情報がユーザに対して提供される。
【００４３】
図３は、図２に示すユーザ情報格納部１１に格納されているユーザ情報のデータ構造の一例を示す。図３に示すように、ユーザ情報格納部１１に格納されているユーザ情報は、ユーザ識別情報（以下、ユーザＩＤと表記）及び購入済みコンテンツＩＤを対応づけて含む。
【００４４】
ユーザＩＤは、コンテンツ管理装置１０を利用するユーザ（つまり、コンテンツ管理装置１０と通信可能に接続される端末装置２０を利用するユーザ）を識別するための識別子である。購入済みコンテンツＩＤは、当該購入コンテンツＩＤに対応づけられているユーザＩＤによって識別されるユーザによって購入されたコンテンツ（購入済みコンテンツ）を識別するための識別子（コンテンツＩＤ）である。
【００４５】
図３に示す例では、ユーザ情報格納部１１に格納されているユーザ情報は、例えばユーザＩＤ「１００」及び購入済みコンテンツＩＤ「１１１０，…」を対応づけて含む。このユーザ情報によれば、ユーザＩＤ「１００」によって識別されるユーザが購入済みコンテンツＩＤ「１１１０，…」によって識別されるコンテンツを購入済みであることが示されている。
【００４６】
また、ユーザ情報格納部１１に格納されているユーザ情報は、例えばユーザＩＤ「１２０」及び購入済みコンテンツＩＤ「１２１１，…」を対応づけて含む。このユーザ情報によれば、ユーザＩＤ「１２０」によって識別されるユーザが購入済みコンテンツＩＤ「１２１１，…」によって識別されるコンテンツを購入済みであることが示されている。
【００４７】
なお、図３に示すように、端末装置２０を利用するユーザは、複数のコンテンツを購入することが可能である。
【００４８】
また、図３においてはユーザ情報にユーザＩＤ及び購入済みコンテンツＩＤのみが含まれるものとして説明したが、ユーザ情報には、ユーザに関する他の情報（例えば、ユーザ名、住所、電話番号及びメールアドレス等）が含まれていてもよいし、例えばコンテンツを購入する際に実行される決済処理に必要な情報（例えば、クレジットカード番号等）が含まれていても構わない。
【００４９】
図４は、図２に示すコンテンツ格納部１２のデータ構造の一例を示す。図４に示すように、コンテンツ格納部１２には、コンテンツ管理装置１０において管理されているコンテンツを識別するためのコンテンツＩＤに対応づけて当該コンテンツ（データ）が格納される。
【００５０】
図４に示す例によれば、コンテンツ格納部１２には、コンテンツＩＤ「１１１０」によって識別されるコンテンツとしてコンテンツＸが格納されている。
【００５１】
また、コンテンツ格納部１２には、コンテンツＩＤ「１２１１」によって識別されるコンテンツとしてコンテンツＹが格納されている。
【００５２】
なお、図４においてはコンテンツ格納部１２にはコンテンツＩＤ及びコンテンツのみが格納されるものとして説明したが、コンテンツに関する他の情報として、例えばコンテンツ名（コンテンツのタイトル）やコンテンツのデータ容量等の情報が格納されていても構わない。
【００５３】
図５は、図２に示すしおり情報格納部１３に格納されているしおり情報のデータ構造の一例を示す。図５に示すように、しおり情報には、当該しおり情報を識別するための（つまり、当該しおり情報に対して割り当てられた）しおり識別情報（以下、しおりＩＤと表記）に対応づけて、ユーザＩＤ、コンテンツＩＤ、しおり位置（位置情報）、しおりタイトル及びコメントが含まれている。
【００５４】
ユーザＩＤは、当該ユーザＩＤに対応づけられているしおりＩＤによって識別されるしおり情報が生成された端末装置２０を利用するユーザ（つまり、当該しおり情報を生成したユーザ）を識別するための識別子である。コンテンツＩＤは、当該コンテンツＩＤに対応づけられているしおりＩＤによって識別されるしおり情報によって位置が特定されるコンテンツ（つまり、当該しおり情報が生成されたコンテンツ）を識別するための識別子である。しおり位置は、当該しおり位置に対応づけられているコンテンツＩＤによって識別されるコンテンツ中の特定の位置を示す位置情報である。しおりタイトルは、当該しおりタイトルに対応づけられているしおり位置によって示されるコンテンツ中の特定の位置に対してユーザによって作成されたタイトルを示す。コメントは、当該コメントに対応づけられているしおり位置によって示されるコンテンツ中の特定の位置に対するユーザのコメントである。なお、ユーザによって閲覧されるコンテンツが上記したように電子書籍である場合、しおり位置（位置情報）によって示される位置は、例えばページ数（番号）を含む。
【００５５】
ここで、しおり情報格納部１３に格納されているしおり情報のうち図５に示すしおり情報１３１について具体的に説明すると、しおり情報１３１は、しおりＩＤ「１」に対応づけて、ユーザＩＤ「１００」、コンテンツＩＤ「１１１０」、しおり位置「１５」、しおりタイトル「二章はじまり」及びコメント「この本は二章から！」を含む。このしおり情報１３１によれば、しおりＩＤ「１」によって識別される当該しおり情報１３１が、ユーザＩＤ「１００」によって識別されるユーザがコンテンツＩＤ「１１１０」によって識別されるコンテンツを閲覧している際に、しおり位置によって示される位置（ここでは、例えば電子書籍における１５ページの位置）をユーザが指定することによって生成されたことが示されている。また、このしおり情報１３１によれば、ユーザによって電子書籍における１５ページに対してユーザによって作成されたタイトルが「二章の始まり」であり、当該１５ページに対するユーザのコメントが「この本は二章から！」であることが示されている。
【００５６】
ここではしおり情報１３１について説明したが、他のしおり情報についても同様であるため、その詳しい説明を省略する。
【００５７】
なお、図２に示すしおり情報格納部１３に格納されるしおりリスト情報の詳細については後述する。
【００５８】
以下、本実施形態に係るコンテンツ管理装置１０及び端末装置２０の動作について説明する。ここでは、端末装置２０において生成されたしおり情報に基づいてしおりリスト情報を生成する際の処理（以下、しおりリスト生成処理と表記）及び当該端末装置２０を利用するユーザに当該しおりリスト情報を提供する際の処理（以下、しおりリスト提供処理と表記）について説明する。
【００５９】
まず、図６のシーケンスチャートを参照して、しおりリスト生成処理の処理手順について説明する。ここでは、端末装置２０を利用するユーザは、コンテンツ管理装置１０において管理されている複数のコンテンツを購入しており、当該端末装置２０において当該コンテンツを閲覧可能であるものとする。以下の説明において、ユーザによって購入されているコンテンツを便宜的に購入済みコンテンツと称する。
【００６０】
ここで、端末装置２０を利用するユーザが購入済みコンテンツを閲覧する場合を想定する。この場合、端末装置２０は、例えばユーザの操作に応じて、購入済みコンテンツの一覧を要求する（ブロックＢ１）。具体的には、端末装置２０は、通信部２１を介して、当該端末装置２０を利用するユーザを識別するためのユーザＩＤをコンテンツ管理装置１０に対して送信する。なお、端末装置２０を利用するユーザを識別するためのユーザＩＤは、当該端末装置２０内部に格納されているものとする。
【００６１】
コンテンツ管理装置１０に含まれるコンテンツ管理部１５は、通信部１４を介して、端末装置２０によって送信されたユーザＩＤを受信する。コンテンツ管理部１５は、ユーザ情報格納部１１を参照して、受信されたユーザＩＤによって識別されるユーザの購入済みコンテンツの一覧（以下、単にコンテンツ一覧と表記）を取得する（ブロックＢ２）。具体的には、コンテンツ管理部１５は、ユーザ情報格納部１１に格納されているユーザ情報に基づいて、受信されたユーザＩＤに対応づけて当該ユーザ情報に含まれている購入済みコンテンツＩＤ（またはタイトル等）の一覧を取得する。
【００６２】
コンテンツ管理部１５によって取得されたコンテンツ一覧は、通信部１４を介して、端末装置２０に対して送信される（ブロックＢ３）。
【００６３】
次に、端末装置２０においては、コンテンツ管理装置１０によって送信されたコンテンツ一覧が受信される。端末装置２０においては、受信されたコンテンツ一覧が表示される（ブロックＢ４）。
【００６４】
ここで、端末装置２０を利用するユーザは、表示されたコンテンツ一覧の中から所望の購入済みコンテンツ（つまり、閲覧を希望するコンテンツ）を指定することができる。
【００６５】
これにより、端末装置２０においては、ユーザによって指定されたコンテンツを選択する（ブロックＢ５）。端末装置２０は、通信部２１を介して、選択された購入済みコンテンツ（を識別するためのコンテンツＩＤ）をコンテンツ管理装置１０に対して送信する（ブロックＢ６）。以下、ブロックＢ５において選択された購入済みコンテンツを便宜的に対象コンテンツと称する。
【００６６】
コンテンツ管理装置１０に含まれるコンテンツ管理部１５は、通信部１４を介して、端末装置２０によって送信されたコンテンツＩＤを受信する。コンテンツ管理部１５は、受信されたコンテンツＩＤによって識別されるコンテンツ（つまり、対象コンテンツ）をコンテンツ格納部１２から取得する（ブロックＢ７）。具体的には、コンテンツ管理部１５は、受信されたコンテンツＩＤに対応づけてコンテンツ格納部１２に格納されているコンテンツを対象コンテンツとして取得する。
【００６７】
なお、コンテンツ管理部１５によって取得された対象コンテンツは、通信部１４を介して、端末装置２０に対して送信される（ブロックＢ８）。これにより、端末装置２０は、対象コンテンツ（ユーザによって指定された購入済みコンテンツ）をダウンロードすることができる。
【００６８】
端末装置２０に含まれるコンテンツ閲覧部２２は、通信部２１を介して、コンテンツ管理装置１０によって送信された対象コンテンツを受信する。このようにコンテンツ閲覧部２２によって対象コンテンツが受信されると、コンテンツ閲覧部２２は、当該対象コンテンツを表示する（ブロックＢ９）。これにより、ユーザは、対象コンテンツを閲覧することができる。
【００６９】
ここで、ユーザは、端末装置２０を操作することによって、閲覧している対象コンテンツ中の特定の位置（例えば、電子書籍の特定のページ）を指定することができる。
【００７０】
また、上記したようにユーザによって対象コンテンツ中の特定の位置が指定された場合、当該対象コンテンツ中の特定の位置に対して付加される付加情報として、当該ユーザに対して上記したしおりタイトル及びコメントの入力が要求される。ユーザは、端末装置２０を操作することによって、しおりタイトル及びコメントとして任意の文字列を作成（入力）することができるものとする。なお、しおりタイトルは、例えば予め定められた複数の文字列（タイトル）の中から選択されるような構成であってもよい。
【００７１】
しおり情報生成部２３は、ユーザのこのような操作に応じてしおり情報を生成する（ブロックＢ１０）。具体的には、しおり情報生成部２３は、生成されるしおり情報に割り当てられたしおりＩＤに対応づけて、端末装置２０を利用するユーザを識別するためのユーザＩＤ、当該端末装置２０において閲覧されている対象コンテンツを識別するためのコンテンツＩＤ、当該ユーザによって指定されたコンテンツ中の特定の位置を示すしおり位置（位置情報）、上記したようにユーザによって作成（入力）されたしおりタイトル及びコメント（付加情報）を含むしおり情報を生成する。
【００７２】
しおり情報生成部２３によって生成されたしおり情報は、通信部２１を介して、コンテンツ管理装置１０に対して送信される（ブロックＢ１１）。
【００７３】
コンテンツ管理装置１０に含まれるしおり情報解析部１６は、通信部１４を介して、端末装置２０によって送信されたしおり情報を受信する。しおり情報解析部１６は、受信されたしおり情報をしおり情報格納部１３に格納（登録）する（ブロックＢ１２）。
【００７４】
また、しおり情報解析部１６は、しおり情報格納部１３に格納（蓄積）されている複数のしおり情報を含むしおりリスト情報を生成する（ブロックＢ１３）。この場合、しおり情報解析部１６は、しおり情報格納部１３に格納されている複数のしおり情報のうち、当該しおり情報に含まれるユーザＩＤ、コンテンツＩＤ、位置情報及び付加情報のうちの少なくとも１つに基づいて集計された複数のしおり情報を含むしおりリスト情報を生成する。
【００７５】
ここで、図７は、上記したしおり情報解析部１６によって生成されるしおりリスト情報のデータ構造の一例を示す。なお、図７では、しおり情報に含まれるコンテンツＩＤに基づいて集計された複数のしおり情報を含むしおりリスト情報の例を示している。
【００７６】
この場合におけるしおりリスト情報には、図７に示すように、コンテンツを識別するためのコンテンツＩＤに対応づけて、当該しおりリスト情報を識別するための（つまり、当該しおりリスト情報に対して割り当てられた）しおりリストＩＤ、しおりＩＤ及びしおりリストタイトルが含まれている。
【００７７】
しおりＩＤは、当該しおりＩＤに対応づけられているコンテンツＩＤによって識別されるコンテンツに対して生成されたしおり情報を識別するための識別子である。なお、同一のコンテンツＩＤを含む複数のしおり情報が生成（蓄積）されている場合、しおりリスト情報には、１つのコンテンツＩＤに対応づけて複数のしおりＩＤが含まれる。すなわち、図７に示す例におけるしおりリスト情報は、同一のコンテンツに対して生成された複数のしおり情報（しおりＩＤ）を含む情報である。
【００７８】
しおりリストタイトルは、当該しおりリストタイトルに対応づけられているしおりＩＤによって識別されるしおり情報に共通の付加情報である。このしおりリストタイトルは、例えば特定のユーザまたはコンテンツ管理装置１０の管理者等によって指定されてもよいし、当該しおりリストタイトルに対応づけられているしおりＩＤによって識別されるしおり情報に含まれるしおりタイトル及びコメント等を解析することによって生成されても構わない。しおりタイトル及びコメントを解析する場合には、例えば当該しおりタイトル及びコメントに含まれる文字列を形態素解析することによって当該しおりタイトル及びコメントにおいて頻出しているキーワードを抽出し、当該キーワードを組み合わせる（並べる）ことによってしおりリストタイトルを生成することができる。
【００７９】
ここで、しおり情報解析部１６によって生成されるしおりリスト情報の一例として、図７に示すしおりリスト情報２００について具体的に説明すると、当該しおりリスト情報１３２は、コンテンツＩＤ「１１１０」に対応づけて、しおりリストＩＤ「１」、しおりＩＤ「１，５０，…」及びしおりリストタイトル「各章の始まり」を含む。このしおりリスト情報（つまり、しおりリストＩＤ「１」によって識別されるしおりリスト情報）２００によれば、当該しおりリスト情報１３２がコンテンツＩＤ「１１１０」によって識別されるコンテンツに対して生成されたしおりＩＤ「１，５０，…」によって識別される複数のしおり情報を含み、当該しおりリストタイトルが「各章の始まり」であることが示されている。
【００８０】
ここではしおりリスト情報２００について説明したが、他のしおりリスト情報についても同様であるため、その詳しい説明を省略する。
【００８１】
なお、図７に示すしおりリスト情報は一例であり、しおり情報解析部１６は、しおり情報格納部１３に格納されている複数のしおり情報を解析することによって、様々なしおりリスト情報を生成することができる。図７に示す例では、コンテンツ毎にしおりリスト情報が生成されるものとして説明したが、例えばユーザ（ユーザＩＤ）毎のしおりリスト情報が生成されてもよいし、集合知処理等を用いて新規なしおりリスト情報が生成されるようにしてもよい。
【００８２】
ここで、集合値処理を用いた場合に生成されるしおりリスト情報について説明する。この場合、例えば同一コンテンツＩＤを含む複数のしおり情報（に含まれるしおりタイトル及びコメント）から上記したようにキーワードを抽出し、当該キーワード間の相関性が高いしおり情報をまとめてしおりリスト情報とすることができる。このようなしおりリスト情報によれば、同一コンテンツＩＤを含む複数のしおり情報のうち、相関性の高いタイトルやコメントが作成されているしおり情報のリストを提供することができる。なお、この場合におけるしおりリストタイトルは、上記したようにキーワードを組み合わせることによって生成することができる。
【００８３】
また、特定のユーザの購入済みコンテンツに対して生成されたしおり情報からキーワードを抽出し、当該キーワードと相関性が高いキーワードが抽出された同一コンテンツに対して生成されたしおり情報（他のユーザによって利用される端末装置２０において生成されたしおり情報）をまとめてしおりリスト情報とすることができる。これによれば、特定のユーザと類似する観点でコンテンツを閲覧しているような他のユーザのしおり情報を含むしおりリスト情報を生成することができる。
【００８４】
また、その他の例としては、例えばコンテンツ中のページ（位置）単位で当該ページを特定するしおり情報の数を集計し、当該しおり情報の数が多いページについてしおりリスト情報を生成するようにしてもよい。この場合においては、例えばしおり情報の数が上位２０ページ分のしおり情報を含むしおりリスト情報を生成することができる。このようなしおりリスト情報によれば、しおり情報の多い（例えば、多くのユーザによって閲覧されている）コンテンツ中のページ（位置）等を容易に把握することができる。
【００８５】
なお、図７に示す例では、しおりリスト情報にはしおりタイトルが含まれているものとして説明したが、しおりリスト情報の態様によっては当該しおりタイトルを含まないようにすることも可能である。
【００８６】
再び図６に戻ると、しおり情報解析部１６によって生成されたしおりリスト情報は、しおり情報格納部１３に格納（登録）される（ブロックＢ１４）。
【００８７】
上記したようにしおりリスト生成処理においては、端末装置２０において生成されたしおり情報がコンテンツ管理装置１０（に含まれるしおり情報格納部１３）に蓄積されるとともに、当該コンテンツ管理装置１０に蓄積された複数のしおり情報に基づいてしおりリスト情報が生成される。このように生成されたしおりリスト情報は、コンテンツ管理装置１０を利用する複数のユーザ間で共有され、後述するようにユーザがコンテンツを閲覧または購入する際の有用な情報として当該ユーザに提供される。
【００８８】
なお、図６においては、端末装置２０がユーザの購入済みコンテンツをコンテンツ管理装置１０からダウンロードするものとして説明したが、例えば当該購入済みコンテンツについては端末装置２０側で管理されるような構成とすることも可能である。
【００８９】
この場合であっても、本実施形態においては上記したようにしおりリスト情報は複数のユーザ間で共有されるため、端末装置２０において生成されたしおり情報はコンテンツ管理装置２０に送信される（つまり、アップロードされる）。
【００９０】
次に、図８のシーケンスチャートを参照して、しおりリスト提供処理の処理手順について説明する。
【００９１】
ここでは、上述したしおりリスト生成処理が実行されることによって、コンテンツ管理装置１０に含まれるしおり情報格納部１３には、複数の端末装置２０において生成された複数のしおり情報及び当該複数のしおり情報に基づいて生成されたしおりリスト情報が格納されているものとする。また、しおり情報格納部１３に格納されているしおりリスト情報は、例えば図７に示すようなしおり情報に含まれるコンテンツＩＤに基づいて集計された複数のしおり情報を含むしおりリスト情報であるものとする。
【００９２】
ここで、端末装置２０を利用するユーザが購入済みコンテンツを閲覧する場合を想定する。この場合、コンテンツ端末装置１０及び端末装置２０においては、上述した図７に示すブロックＢ１〜Ｂ７の処理に相当するブロックＢ２１〜Ｂ２７の処理が実行される。なお、以下の説明においては、ブロックＢ２５において選択された購入済みコンテンツ（つまり、ユーザによって指定されたコンテンツ）を便宜的に対象コンテンツと称する。
【００９３】
また、コンテンツ管理装置１０に含まれるしおり情報管理部１７は、通信部１４を介して、端末装置２０によって送信されたコンテンツＩＤ（つまり、対象コンテンツを識別するためのコンテンツＩＤ）を受信する。しおり情報管理部１７は、しおり情報格納部１３に格納されているしおりリスト情報のうち、受信されたコンテンツＩＤを含むしおりリスト情報を、当該しおり情報格納部１３から取得する（ブロックＢ２８）。
【００９４】
なお、ここでしおり情報管理部１７によって取得されるしおり情報は、上述した図７において説明したように、例えばしおり情報管理部１７によって受信されたコンテンツＩＤに対応づけて、しおりリストＩＤ、しおりＩＤ及びしおりリストタイトルを含む。
【００９５】
次に、しおり情報管理部１７は、取得されたしおりリスト情報に含まれるしおりＩＤによって識別されるしおり情報を、しおり情報格納部１３から取得する（ブロックＢ２９）。具体的には、しおり情報管理部１７は、取得されたしおりリスト情報に含まれるしおりＩＤを含むしおり情報を取得する。
【００９６】
なお、ここでしおり情報管理部１７によって取得されるしおり情報は、対象コンテンツに対して生成されたしおり情報であり、上述した図５において説明したように、例えばしおり情報管理部１７によって取得されたしおりリスト情報に含まれるしおりＩＤに対応づけて、例えばユーザＩＤ、コンテンツＩＤ、しおり位置、しおりタイトル及びコメントを含む。
【００９７】
上記したブロックＢ２７において取得されたコンテンツ（つまり、対象コンテンツ）、ブロックＢ２８において取得されたしおりリスト情報及びブロックＢ２９において取得されたしおり情報は、通信部１４を介して、端末装置２０に対して送信される（ブロックＢ３０）。これにより、端末装置２０は、対象コンテンツ、しおりリスト情報及びしおり情報をダウンロードすることができる。
【００９８】
なお、コンテンツ管理装置１０によって送信された対象コンテンツ及びしおり情報は、端末装置２０に含まれる通信部２１を介して、コンテンツ閲覧部２２によって受信される。一方、コンテンツ管理装置１０によって送信されたしおりリスト情報は、端末装置２０に含まれる通信部２１を介して、しおりリスト閲覧部２４によって受信される。
【００９９】
次に、しおりリスト閲覧部２４は、受信されたしおりリスト情報を表示する（ブロックＢ３１）。これにより、端末装置２０を利用するユーザに対してしおりリスト情報を提供することができる。
【０１００】
なお、しおりリスト情報は、例えばコンテンツ閲覧部２２によるユーザのコンテンツの閲覧を妨げない形式で表示されるものとする（つまり、コンテンツの閲覧画面には表示されない）。また、しおりリスト情報が表示された場合には、例えば当該しおりリスト情報に含まれる複数のリストＩＤ（によって識別されるしおり情報）が一覧（リスト）の形式で表示される。
【０１０１】
また、上述した図７に示すコンテンツＩＤ「１２１１」のように同一のコンテンツ（ＩＤ）を含む複数のしおりリスト情報が存在する場合には、当該複数のしおりリスト情報のうちユーザによって指定されたしおりリスト情報が表示されるものとする。
【０１０２】
このようにしおりリスト情報が提供されたユーザは、例えば当該しおりリスト情報に含まれるしおりＩＤ（によって識別されるしおり情報）の数等を参照することにより、対象コンテンツが多くのユーザによって閲覧されている（しおり情報が生成されている）ことを認識することができる。また、ユーザは、例えばしおりリスト情報に含まれるしおりリストタイトル等を参照することにより、どのような観点でしおり情報が生成されたか（またはどのような観点でコンテンツが閲覧されているか）等を把握することができる。すなわち、ユーザは、提供されたしおりリスト情報を参照することにより、当該しおりリスト情報を対象コンテンツを閲覧するか否かの判断等に利用することができる。
【０１０３】
なお、上記したようにしおりリスト情報を表示する場合には、当該しおりリスト情報に含まれるしおりＩＤによって識別されるしおり情報に含まれるコメント（及びしおりタイトル）についても表示されるような構成とすることも可能である。これによれば、しおりリスト情報が提供されるユーザは、より対象コンテンツの（特定の位置に関する）内容を把握することができる。
【０１０４】
また、ユーザは、端末装置２０を操作することによって、表示されたしおりリスト情報に含まれるしおりＩＤ（によって識別されるしおり情報）を指定することができる。
【０１０５】
この場合、コンテンツ閲覧部２２は、ユーザによって指定されたしおりＩＤを含むしおり情報（に含まれるしおり位置）に基づいて、対象コンテンツ中の特定の位置（例えば電子書籍の特定のページ）を表示する（ブロックＢ３２）。これにより、ユーザは、しおりリスト情報をインデックスとして利用し、しおり情報によって特定される箇所を参照することが可能となる。
【０１０６】
また、他のしおりＩＤ（によって識別されるしおり情報）を指定する場合には、上記した対象コンテンツ中の特定の位置が表示されたが端末装置２０の画面に対して所定の操作を行うことにより、上述したしおりリスト情報が表示された画面に戻ることができるものとする。
【０１０７】
上記したようにしおりリスト提供処理においては、例えばユーザによって指定されたコンテンツ（対象コンテンツ）を識別するためのコンテンツＩＤに基づいて集計された複数のしおり情報を含むしおりリスト情報を、例えば閲覧するコンテンツ等を検討する際における有用な情報として当該ユーザに対して提供することが可能となる。
【０１０８】
なお、ここではユーザが購入済みコンテンツを閲覧する場合にしおりリスト情報を提供するものとして説明したが、例えばユーザがコンテンツの購入を検討する際に当該コンテンツに対するしおりリスト情報を提供するような構成としても構わない。
【０１０９】
上記したように本実施形態においては、端末装置２０において閲覧されるコンテンツ中の特定の位置に関するしおり情報をコンテンツ管理装置１０において蓄積し、当該蓄積された複数のしおり情報を含むしおりリスト情報を生成し、当該生成されたしおりリスト情報を端末装置２０に送信し、当該送信されたしおりリスト情報を端末装置２０において表示する。本実施形態においては、このような構成により、例えば電子書籍等のコンテンツに関する有用な情報（当該コンテンツに付随する新たな情報）としてユーザ間で共有可能なしおりリスト情報を提供することが可能となる。これにより、ユーザは、提供されたしおりリスト情報を参考にして、コンテンツを閲覧または購入することが可能となる。
【０１１０】
また、本実施形態においては、異なるユーザによって利用される複数の端末装置２０の各々において生成されたしおり情報を含むしおりリスト情報が生成されるため、各ユーザ個人では意図していなかった特定の位置（ページ）に関する情報（コンテンツ中の特定の位置の内容やコメント等）を参考にしてコンテンツの閲覧または購入を検討することができる。
【０１１１】
また、本実施形態において、コンテンツ管理装置１０において蓄積されている複数のしおり情報のうち、当該しおり情報に含まれるユーザＩＤ、コンテンツＩＤ、位置情報（しおり位置）及び付加情報（しおりタイトル及びコメント）のうちの少なくとも１つに基づいて集計された複数のしおり情報を含むしおりリスト情報が生成されるため、例えばユーザの嗜好やコンテンツの特徴に合わせたしおりリスト情報を提供することができる。
【０１１２】
更に、このようなしおりリスト情報をコンテンツの購入検討時等に提供することによって、ユーザは、単なるコンテンツ全体に対する他のユーザのレビューや評価等とは異なり、例えば他のユーザが着目した箇所（つまり、しおり情報が生成された箇所）等を参考にすることが可能となる。すなわち、本実施形態において提供されるしおりリスト情報は、一般的なレビュー等とは異なるコンテンツ（例えば、電子書籍等）の購入を促す新たな情報として利用することができる。
【０１１３】
また、本実施形態においては、しおりリスト情報に含まれる複数のしおり情報を解析することによって、当該複数のしおり情報に共通の付加情報（例えば、しおりリストタイトル等）を生成し、当該生成された付加情報を含むしおりリスト情報を提供することにより、当該しおりリスト情報に含まれる複数のしおり情報（に含まれるタイトルやコメント）の概要等を容易に把握することが可能となる。
【０１１４】
なお、本実施形態においては、コンテンツ管理装置１０において生成されたしおりリスト情報に含まれるしおりリストタイトルや当該しおりリスト情報に含まれる複数のしおり情報に含まれるコメント等に対してユーザによって指定されたキーワードで検索を行うことができるようにすることで、しおりリスト情報を利用した新たなコンテンツへの導入経路を確立することが可能となる。
【０１１５】
また、端末装置２０において表示されたしおりリスト情報に含まれるしおり情報（に含まれるコメント等）に対して他のユーザがコメントを追加できるような構成とし、本実施形態においてソーシャルネットワーク機能を実現することも可能である。このようにしおり情報に対して他のユーザからコメントが追加された場合には、当該しおり情報に含まれるユーザＩＤによって識別されるユーザ（によって利用される端末装置２０）に対して、当該コメントが追加される旨が通知されるようにしても構わない。
【０１１６】
更に、例えばコンテンツの購入の際に当該コンテンツのサンプル（一部）を閲覧することができる場合には、当該コンテンツに対して生成されたしおりリスト情報に含まれる複数のしおり情報において頻繁に特定されている箇所（つまり、当該しおり情報に含まれる位置情報によって示される位置）を当該閲覧の対象とすることで、コンテンツの購入検討時に他のユーザによって注目されている箇所を閲覧することが可能となるため、コンテンツの購入を促進することが可能となる。
【０１１７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。  
【符号の説明】
【０１１８】
１０…コンテンツ管理装置、１０ａ…コンピュータ、１０ｂ…外部記憶装置、１１…ユーザ情報格納部、１２…コンテンツ格納部、１３…しおり情報格納部、１４…通信部、１５…コンテンツ管理部、１６…しおり情報解析部、１７…しおり情報管理部、２０…端末装置、２１…通信部、２２…コンテンツ閲覧部、２３…しおり情報生成部、２４…しおりリスト閲覧部
【図１】
2015125545.tif 000003
【図２】
2015125545.tif 000004
【図３】
2015125545.tif 000005
【図４】
2015125545.tif 000006
【図５】
2015125545.tif 000007
【図６】
2015125545.tif 000008
【図７】
2015125545.tif 000009
【図８】
2015125545.tif 000010